(57)【特許請求の範囲】
【請求項１】
複数枚の環状の刃物（６，７）が所定の間隔を有するように刃物（６，７）間にスペーサ（５）とゴムローラ（４）とが交互に位置するように装着された第１刃軸（１）と、複数枚の環状の刃物（１６，１７）が前記第１刃軸（１）の各刃物（６，７）と接触可能に刃物（１６，１７）間に押圧用スペーサ（１５）とゴムローラ（１４）とが交互に位置するように装着された第２刃軸（２）とを備え、
前記第１刃軸（１）と第２刃軸（２）とが平行な状態で配置され、前記第２刃軸（２）の刃物（１６，１７）が押圧用スペーサ（１５）部に設けられた弾性体（２３）によって第１刃軸（１）の刃物（６，７）の側面に所定の面圧で接触せしめるようにし、
前記第１刃軸（１）の各刃物（６，７）と前記第２刃軸（２）の各刃物（１６，１７）とが所定寸法分重なり合った状態で前記第１刃軸（１）と前記第２刃軸（２）との間に搬送されたシート状物（５０）を複数条に切断するスリッターにおいて、
前記ゴムローラ（４，１４）を、それらの幅方向における円周中央部が切断部近傍の外径寸法よりも小さくなるようにそれぞれ凹状部（１２ｂ，２２ｂ）を形成せしめ、該凹状部（１２ｂ，２２ｂ）は、前記切断の際に前記シート状物（５０）が前記凹状部（１２ｂ，２２ｂ）の底面に接触可能な深さとされてなることを特徴とするスリッター。
【請求項２】
各ゴムローラ（４，１４）の両端面がそれぞれ前記第１刃軸（１）の各刃物（６，７）の側面及び前記第２刃軸（２）の各刃物（１６，１７）の側面にそれぞれ接触しているかまたは極めて近接してなる請求項１に記載のスリッター。
【発明の詳細な説明】
【０００１】
【発明の属する技術分野】
本発明は合成樹脂フイルム、箔、紙等の長尺の太幅シート状物を所定の細幅シート状物に切断するスリッターに関するものである。
【０００２】
【従来の技術】
一般に、合成樹脂フイルム、箔、紙、箔の片面あるいは両面に合成樹脂等が塗布された物等の長尺の太幅シート状物を所定の細幅シート状物に切断する場合には、例えば、特開昭５１−６７５９０号公報に記載されているような複数枚の環状の刃物が所定の間隔を有するように刃物間にスペーサとゴムローラとが交互に位置するように装着された第１刃軸と、複数枚の環状の刃物が前記第１刃軸の各刃物と接触可能に刃物間に押圧用スペーサとゴムローラとが交互に位置するように装着された第２刃軸とを備え、前記第１刃軸と第２刃軸とが平行な状態で配置され、前記第２刃軸の刃物が押圧用スペーサ部に設けられた弾性体によって第１刃軸の刃物に接触せしめる構成のスリッター、あるいは特開平６−２９７２２８号公報に記載されているような刃物間に所定幅のゴム層を有するスペーサが所定の間隔をもって配設された構成のスリッターが使用されている。
【０００３】
【発明が解決しようとする課題】
上述の前者のような外周面が平坦なゴムローラでシート状物を挟んだ状態で切断するスリッターでは、ゴムローラによってシート状物を大きな力で押圧するため、ゴムローラの外周面部が幅方向に広がって刃物を押圧した状態になり、上刃が下刃から離れて切断不良を生じると言う問題がある。また、ゴムローラの両端外周部が刃物の側面から切断部にはみ出して切断されると言う問題がある。
【０００４】
後者のような刃物側面とスペーサのゴム層側面との間に間隙を有する状態でシート状物を切断するスリッターでは、刃物の円周面全体においてシート状物がゴムローラによって均一に押圧されずに切断側部が浮いた状態か押圧力が小さくなった状態になり、箔が伸びたり、ちぎれたりする。そのため、切断されたシート状物の端部が変形して縁高になったハイエッジの状態になり、巻き取られたパッケージが耳高の状態になって後処理機において装着できなかったり、送出操作時に皺、破断等を生じると言う問題がある。また、箔が伸びて変形した状態で切断されると、合成樹脂５０ｂが箔５０ａと離れて両側に開いた状態（図４）に、箔がちぎれると、一方のシート状物５０は箔５０ａが舌状に突出し、他方のシート状物５０は箔５０ａが引っ込んだ状態（図５）になると言う問題がある。
【０００５】
本発明は切断されたシート状物の切断部にバリ、ハイエッジ等を生じたり、シート状物に皺等を生じたりすることなく略直角の状態に切断できるスリッターを提供することを目的とするものである。
【０００６】
上述の課題を解決するために、請求項１の発明は、複数枚の環状の刃物（６，７）が所定の間隔を有するように刃物（６，７）間にスペーサ（５）とゴムローラ（４）とが交互に位置するように装着された第１刃軸（１）と、複数枚の環状の刃物（１６，１７）が前記第１刃軸（１）の各刃物（６，７）と接触可能に刃物（１６，１７）間に押圧用スペーサ（１５）とゴムローラ（１４）とが交互に位置するように装着された第２刃軸（２）とを備え、前記第１刃軸（１）と第２刃軸（２）とが平行な状態で配置され、前記第２刃軸（２）の刃物（１６，１７）が押圧用スペーサ（１５）部に設けられた弾性体（２３）によって第１刃軸（１）の刃物（６，７）の側面に所定の面圧で接触せしめるようにし、前記第１刃軸（１）の各刃物（６，７）と前記第２刃軸（２）の各刃物（１６，１７）とが所定寸法分重なり合った状態で前記第１刃軸（１）と前記第２刃軸（２）との間に搬送されたシート状物（５０）を複数条に切断するスリッターにおいて、前記ゴムローラ（４，１４）を、それらの幅方向における円周中央部が切断部近傍の外径寸法よりも小さくなるようにそれぞれ凹状部（１２ｂ，２２ｂ）を形成せしめ、該凹状部（１２ｂ，２２ｂ）は、前記切断の際に前記シート状物（５０）が前記凹状部（１２ｂ，２２ｂ）の底面に接触可能な深さとされてなることを特徴とする。
【０００７】
請求項２の発明は、各ゴムローラ（４，１４）の両端面がそれぞれ前記第１刃軸（１）の各刃物（６，７）の側面及び前記第２刃軸（２）の各刃物（１６，１７）の側面にそれぞれ接触しているかまたは極めて近接してなる。
【０００８】
【発明の実施の形態】
図１は本発明のスリッターの構成の１実施例を示す概略断面図、図２は図１のスリッターにおけるシート状物の切断状態を示す概略拡大図であってスリッターは機枠（図示せず）に軸受によって回転可能に取り付けられた固定側の第１刃軸１と、該第１刃軸１に対して軸間距離が調節できると共に回転可能に軸受によって該機枠に取り付けられた第２刃軸２とにより構成されている。
【０００９】
上述の第１刃軸１は切断すべきシート状物の幅寸法（Ｗ）に等しい幅寸法を有する間隙形成用の第１ゴムローラ４と、環状の刃物６と、環状のスペーサ５と、環状の刃物７とを軸体３に順次嵌挿せしめると共に、その両端部にカラー８を嵌挿せしめて座金９とナット１０とによって両側から締め付けて一体物に形成されている。この場合カラー８の内側には第１ゴムローラ４またはスペーサ５が位置するように切断箇所数に応じて第１ゴムローラ４とスペーサ５とが交互に位置するように嵌挿する。
【００１０】
第１ゴムローラ４は軸体３に嵌挿されるボス１１と、その外周部に１〜２０mmの厚さで接着、溶着等により一体物にされたウレタンゴム、ブチルゴム、シリコンゴム等の合成ゴムからなるゴム体１２とにより構成されている。該ゴム体１２の厚さ寸法は軸体３の外径寸法、刃物６、７の外径寸法、ゴム硬度等によって適宜設定する。
【００１１】
スペーサ５は第１ゴムローラ４の幅寸法（Ｗ）から刃物６、７の厚さ寸法（Ｔ）分を差し引いた幅寸法（Ｗａ）になっていると共に、外径寸法は刃物６、７の外径寸法と同一寸法にするのが好ましい。
【００１２】
このスペーサ５はステンレス鋼、塩化ビニール樹脂、ポリアミド樹脂等の硬質合成樹脂等によって形成するか、第１ゴムローラ４と同様にボス１１とゴム体１２とによって形成することができる。
【００１３】
上述の第２刃軸２は間隙形成用の第２ゴムローラ１４と、環状の刃物１６と、環状の押圧用スペーサ１５と、環状の刃物１７とを軸体１３に順次嵌挿せしめると共に、その両端部にカラー１８を嵌挿せしめて座金１９とナット２０とによって両側から締め付けて一体物に構成されている。この場合カラー１８の内側には固定側刃軸１における第１ゴムローラ４と対向する箇所に刃物１６、押圧用スペーサ１５、刃物１７が、スペーサ５、刃物６、７と対向する箇所に第２ゴムローラ１４が位置するように嵌挿する。
【００１４】
第２ゴムローラ１４は第１ゴムローラ４と同様にボス２１とゴム体２２とにより構成されている。
【００１５】
押圧用スペーサ１５は刃物１６、１７が軸方向に円滑に移動することができるように刃物１６、１７の厚さ寸法分と移動可能な間隙寸法分を差し引いた厚さ寸法になっている。
【００１６】
この押圧用スペーサ１５の両側面には断面形状が凹状の環状溝１５ａが形成され、刃物１６、１７を第１刃軸１の刃物６、７の側面に所定の面圧で接触させるための皿ばね、合成ゴム製リング等の弾性体２３が取り付けられている。
【００１７】
第２ゴムローラ１４は第１ゴムローラ４と同一の幅寸法（Ｗ）にしてある。
【００１８】
上述のゴム体１２、２２は１〜２０mmの範囲で軸体３の外径寸法、刃物６、７の外径寸法、ゴム硬度等によって厚さ寸法を設定すると共に、外径寸法（Ｄ１）が刃物６、７、１６、１７の外径寸法（Ｄ）に等しくなるように設定する。該ゴム体１２、２２の円周面は幅方向の中央部が凹状１２ｂ、２２ｂになっている。
【００１９】
該接触部１２ａ２、２２ａ１の幅寸法（Ｅ）、凹状部１２ｂ、２２ｂの深さ寸法（ｈ）は切断するシート状物の厚さ、材質、刃物６、７、１６、１７の外径寸法、幅寸法、第１刃軸１と第２刃軸２の軸間距離等によって設定する。
【００２０】
そして、ゴム体１２の側面が刃物６、７の側面に、ゴム体２２の側面が刃物１６、１７の側面に接触または極めて近接した状態（隙間が殆ど無い状態）で組み付けられる。
【００２１】
上述のナット１０、２０を締め付ける際に皿ばね等の緩み止め部材を介在させるのが好ましい。また、座金９、１９とカラー８、１８を一体物に形成すること、カラー８、１８を省略することは可能である。
【００２２】
上述の第１刃軸１と第２刃軸２は駆動装置（図示せず）によって逆方向に所定の速度で回転されるようになっている。
【００２３】
上述のスリッターにおけるシート状物５０の切断部においては図１及び図２に示されるように各刃物６、７、１６、１７が所定寸法分重なりあった状態になるように軸体３、１３が機枠（図示せず）に取り付けられているため、ゴム体１２、２２の接触部１２a1、１２a2、２２a1、２２a2が押し潰された状態になると共に凹状部１２ｂ、２２ｂがシート状物５０と極僅か離反した状態か低面圧で接触した状態でシート状物５０が刃物６、７、１６、１７の円周面に押圧される。
【００２４】
この様な状態でシート状物５０が搬送されると共に固定側の第１刃軸１と可動側の第２刃軸２が回転されると、シート状物５０が刃物６、７、１６、１７部においてちぎれたり、延びたりすることなく略直角の状態に切断される。
【００２５】
上述の実施例においては第１刃軸１を固定側、第２刃軸２を可動側としたが、第１刃軸１を可動側、第２刃軸２を固定側にできることは言うまでもない。
【００２６】
また、第１刃軸１における刃物６、７、第１ゴムローラ４、スペーサ５の嵌挿位置、第２刃軸２における刃物１６、１７、第２ゴムローラ１３、押圧用スペーサ１５の嵌挿位置は切断するシート状物の切断箇所、切断数に応じて適宜設定する。
【００２７】
【発明の効果】
請求項１の発明によると、厚さのあるシート状物、柔らかい材質のシート状物、箔に合成樹脂等が塗布されたような厚さ方向において硬度の異なるようなシート状物であってもシート状物の切断部にバリ、ハイエッジ等を生じたり、シート状物に皺等を生じたりすることなく略直角の状態に切断できると共に、ゴム体の端部が刃物の切断部からはみ出して切断されるのを防止することができる。
【００２８】
請求項２の発明によると、より確実にシート状物の切断部を略直角の状態にすることができる。
【図面の簡単な説明】
【図１】本発明のスリッターの構成の１実施例を示す概略断面図である。
【図２】図１のスリッターにおけるシート状物の切断状態を示す概略拡大図である。
【図３】本発明のスリッターによって切断されたシート状物の切断部を示す概略図である。
【図４】従来のスリッターによって切断されたシート状物の切断部を示す概略図である。
【図５】従来のスリッターによって切断されたシート状物の切断部を示す概略図である。
【符号の説明】
１ 第１刃軸
２ 第２刃軸
３、１３ 軸体
４ 第１ゴムローラ
５ スペーサ
６、７、１６、１７ 刃物
１１、２１ ボス
１２、２２ ゴム体
１４ 第２ゴムローラ
１５ 押圧用スペーサ
２３ 弾性体
１２ａ２、２２ａ１ 接触部
１２ｂ、２２ｂ 凹状部
【図１】
0003856563.tif 000002
【図２】
0003856563.tif 000003
【図３】
0003856563.tif 000004
【図４】
0003856563.tif 000005
【図５】
0003856563.tif 000006